(57)【要約】 【課題】粘着性のある塵埃が防塵部材に付着したとしてその塵埃をほぼ確実に除去することができる撮影装置を提供する。  【解決手段】ＣＰＵ１１００は、交換レンズが取り外される直前の撮影により第１の画像データを得て第１のフレームメモリ♯１  １１１０に記憶するとともに、交換レンズが装着された後の撮影により第２の画像データを得て第２の画像データをフレームメモリ♯２  １１１１に記憶する。この記憶処理と同時にＣＰＵ１１００は、交換レンズが取り外されたときに防塵部材１１０１を振動させることによって交換中の塵埃の防塵部材への付着を防止する。さらに交換レンズが装着された後、ＣＰＵ１１００は上記第１の画像データと上記第２の画像データを比較して違いがあるかないかを判定する。双方の画像データの間に違いが在ると判定した場合には、表示画面１１０５１上にその旨を表示してユーザにブロワ等によりクリーニングを行なわせる。【選択図】図３
2007325148.tif 000002
【特許請求の範囲】
【請求項１】
カメラ本体に交換自在に装着される交換レンズと、撮像素子を備えたカメラ本体とを備えた撮影装置であって、前記撮像素子の前面に配備された防塵部材と該防塵部材を振動させる加振手段と該加振手段に該防塵部材の振動を行なわさせる制御手段とを備え、前記制御手段が該加振手段に該防塵部材を振動させることによって該防塵部材の表面に付着した塵埃を除去させる機能を有する撮影装置において、
この撮影装置は、表示画面を有し該表示画面上に画像を表示する表示手段と、１フレーム分の画像データを記憶しておくフレームメモリを複数備えたものであって、
前記制御手段は、前記交換レンズの交換に際して、装着されている交換レンズの交換直前の撮影により第１の画像データを得て該第１の画像データを前記複数のフレームメモリのうちの第１のフレームメモリに記憶するとともに前記加振手段に指示して前記防塵部材を振動させ、さらに新たな交換レンズへの交換が行なわれた後の撮影により第２の画像データを得て該第２の画像データを前記第１のフレームメモリとは異なる第２のフレームメモリに記憶した後、
前記第１のフレームメモリから前記第１の画像データを読み出すとともに前記第２のフレームメモリから前記第２の画像データを読み出して該第１の画像データと該第２の画像データとを比較することにより双方の画像データの間に違いがあるかどうかを判定し違いがあると判定したときには前記表示手段に指示して前記表示画面上に塵埃の除去が完了していない旨の表示を行なわさせるものであることを特徴とする撮影装置。
【請求項２】
前記交換レンズ内に光軸上に対して進退自在に設けられた、前記制御手段によって制御される拡散板を付加したことを特徴とする請求項１記載の撮影装置。
【請求項３】
前記交換レンズ前面を退避自在に覆うレンズ防護部材を備え、該レンズ防護部材は、レンズ側の一面が白色に形成されていることを特徴とする請求項１記載の撮影装置。
【発明の詳細な説明】
【技術分野】
【０００１】
本発明は、カメラ本体に交換自在に装着される交換レンズと、撮像素子を備えたカメラ本体とを備えた撮影装置であって、上記撮像素子の前面に配備された防塵部材とその防塵部材を振動させる加振手段とその加振手段にその防塵部材の振動を行なわせる制御手段とを備え、上記制御手段がその加振手段にその防塵部材を振動させることによってその防塵部材の表面に付着した塵埃を除去させる機能を有する撮影装置に関する。
【背景技術】
【０００２】
カメラ本体に交換自在に装着される交換レンズと撮像素子を備えたカメラ本体とを備えた撮影装置にあっては、交換レンズを交換するときにカメラ本体側のマウント部から塵埃が侵入して撮像素子の表面に塵埃が付着してしまうことがある。この塵埃は、クリーニング部材を用いれば除去することができるが、製造者の立場からは撮影者にクリーニングを行なわせるのはあまり好ましいことであるとは言えない。
【０００３】
そこで撮像素子の前面に防塵部材を配備してその防塵部材を自動的に振動させることによって防塵部材の表面に付着した塵埃を除去させる技術が提案されている（例えば特許文献１、２参照）。特許文献１、２の技術を用いると、交換レンズの交換を行った後において防塵部材から一旦除去された塵埃がマウント部の空間に存在して再びその防塵部材に付着するようなことがあったとしても防塵部材を振動させることによって付着した塵埃をいつでも除去することができる。
【０００４】
しかし特許文献１、２の技術を用いて所定の時間、防塵部材を振動させることによって塵埃を除去しようとしても粘着性のある塵埃を除去することができないことがある。この粘着性のある塵埃は、交換レンズを交換している最中にマウント部から何かの拍子に侵入するため、交換した後すぐにユーザによってクリーニングが行なわれて除去されれば、空気中に浮遊して防塵部材に再び付着する恐れはない。もしも防塵部材に塵埃が付着したままになると画像の品質が落ちる。
【特許文献１】特開２００４−２９１４５号公報
【特許文献２】特開２００４−２６４６９１号公報
【発明の開示】
【発明が解決しようとする課題】
【０００５】
本発明は、上記事情に鑑み、交換レンズを交換したときに粘着性のある塵埃が防塵部材に付着した場合においても塵埃が確実に除去される撮影装置を提供することを目的とする。
【課題を解決するための手段】
【０００６】
上記目的を達成する本発明の撮影装置は、カメラ本体に交換自在に装着される交換レンズと、撮像素子を備えたカメラ本体とを備えた撮影装置であって、上記撮像素子の前面に配備された防塵部材とその防塵部材を振動させる加振手段とその加振手段にその防塵部材の振動を行なわさせる制御手段とを備え、上記制御手段がその加振手段にその防塵部材を振動させることによってその防塵部材の表面に付着した塵埃を除去させる機能を有する撮影装置において、
この撮影装置は、表示画面を有しその表示画面上に画像を表示する表示手段と、１フレーム分の画像データを記憶しておくフレームメモリを複数備えたものであって、
上記制御手段は、上記交換レンズの交換に際して、装着されている交換レンズの交換直前に撮影により第１の画像データを得てその第１の画像データを上記複数のフレームメモリのうちの第１のフレームメモリに記憶するとともに前記加振手段に指示して上記防塵部材を振動させ、新たな交換レンズへの交換が行なわれた後の撮影により第２の画像データを得てその第２の画像データを上記第１のフレームメモリとは異なる第２のフレームメモリに記憶した後、
上記第１のフレームメモリから上記第１の画像データを読み出すとともに上記第２のフレームメモリから上記第２の画像データを読み出してその第１の画像データとその第２の画像データとを比較することにより双方の画像データの間に違いがあるかどうかを判定し違いがあると判定したときには前記表示手段に指示して前記表示画面上に塵埃の除去が完了していない旨の表示を行なわさせるものであることを特徴とする。
【０００７】
上記本発明の撮影装置によれば、上記制御手段が、上記交換レンズが外される直前の撮影により上記第１の画像データを得てその第１の画像データを上記第１のフレームメモリに記憶し、次に上記交換レンズが装着された後の撮影により上記第２の画像データを得てその第２の画像データを上記第２のフレームメモリに記憶する。なお上記交換レンズの交換前後の撮影においては、塵埃の検出精度を上げるために交換レンズの交換を行なうユーザに対して白色一様なものを被写体とすることを予め促しておくと良い。
【０００８】
また上記交換レンズが取り外されるとカメラ本体側のマウント部から塵埃が侵入して上記防塵部材に付着する可能性があるので、上記制御手段は、いままでどおりに上記加振手段に指示して上記防塵部材の振動を行なわせ交換レンズの交換中に防塵部材に塵埃が付着したとしてもその塵埃を除去することができる様にする。
【０００９】
こうして今までどおりに上記制御手段が、交換レンズの交換時に防塵部材に付着した塵埃の除去作業を上記加振手段に行なわせた後、本発明においては上記制御手段が交換前後の撮影により得た上記第１の画像データと上記第２の画像データとを比較して双方の画像データに違いがあると判定したときには、粘着性のある塵埃が付着している可能性が高いとして、上記表示手段に指示して上記表示画面上に塵埃の除去が完了していない旨の表示を行なわせる構成としている。
【００１０】
本発明ではその表示により塵埃に粘着性があるのでブロワ等により強制的にクリーニングを行なわないとその塵埃を除去することができないことを撮影者に通知することによって、その通知を受けたユーザに交換レンズの交換作業の一環として粘着性の在る塵埃を除去させる様にしている。
【００１１】
以上説明した様に、交換レンズを交換したときに粘着性のある塵埃が防塵部材に付着した場合においても塵埃が確実に除去される撮影装置が実現する。
【００１２】
ここで、上記構成の様に上記交換レンズの交換前後に撮影を行なうときに撮影者に対して白色一様の被写体を撮影することを促す構成であると、撮影者に余計な操作を行なわせることになる。
【００１３】
そこで、上記交換レンズ内に光軸上に進退自在に設けられた、上記制御手段によって制御される拡散板を付加した態様であることが好ましい。
【００１４】
こうして拡散板を交換レンズ内に設けて交換時にその拡散板を光軸上に進出させる様にしておくと、撮影者に煩雑な撮影操作を行なわせる必要がなくなって交換レンズの交換作業がより一層簡単化されるという効果が得られる。
【００１５】
また、上記拡散板を設ける代わりに、
上記交換レンズ前面に退避自在に覆うレンズ防護部材を備え、その防護部材は、レンズ側の一面が白色で形成されているものであっても良い。
【００１６】
上記レンズ防護部材は、レンズキャップであってもレンズバリアであっても良い。
【発明の効果】
【００１７】
以上説明した様に、交換レンズを交換したときに粘着性のある塵埃が防塵部材に付着した場合においても塵埃がほぼ確実に除去される撮影装置が実現する。
【発明を実施するための最良の形態】
【００１８】
以下、本発明の実施の形態について説明する。
【００１９】
図１、図２は、本発明の一実施形態である撮影装置を示す図である。
【００２０】
図１に示す撮影装置１には交換レンズ１０とカメラ本体１１とが備えられている。図１に示す様に交換レンズ１０とカメラ本体１１とはマウント部にバヨネットマウント構造を有しており、交換レンズ１０側のマウント部１００には複数の爪１０１が設けられていて、カメラ本体側のマウント部１１０にはそれらの複数の爪１０１を受け入れる切欠部１１１が対向する様に設けられている。図１に示す交換レンズ１０がカメラ本体１１に装着されるときには、それらをあわせる様にして交換レンズ１０側のマウント部１００がカメラ本体１１のマウント部１１０に挿入され、さらに交換レンズがマウント部内の回転溝に沿って回転操作されることによって交換レンズ１０がカメラ本体１１に装着される。また図１に示す様にカメラボディの上面にはレリーズボタン１１２が備えられており、さらに図２に示す様にカメラ本体１１の背面には表示画面やメニューボタンや十字キーなどが設けられている。
【００２１】
ところで図１に示す様に交換レンズ１０がカメラ本体１１から外されると、従来例にも記載した様にカメラ本体１１内部の固体撮像素子の表面が露出してしまう。このためカメラ本体のマウント部から塵埃が侵入して固体撮像素子の表面に付着してしまう可能性があるので図１に示す撮影装置においては固体撮像素子の前面に防塵部材１１０１が設けられている。
【００２２】
さらに従来例で説明した様に、特許文献１、２では防塵部材１１０１を自動的に振動させることによってマウント部１００から侵入した塵埃を防塵部材１１０１から除去することができる様にしている。しかし、交換レンズの交換時には何かの拍子に粘着性のある塵埃が侵入して防塵部材１１０１に付着する場合もあり、その場合には特許文献１、２の技術を用いたとしても塵埃を除去することができないことがあった。
【００２３】
そこで、本実施形態においては、フレームメモリを複数設けて交換レンズの交換前後において撮影により得た第１の画像データと第２の画像データとをそれらのフレームメモリそれぞれに記憶して、双方の画像データに違いが在ると判定したときには粘着性のある塵埃である可能性が高いとして表示画面１１０５１上にその旨を表示する構成に改良している。この構成にすると交換レンズの交換作業の一環としてユーザに粘着性の在る塵埃を除去させることができる。
【００２４】
また本実施形態では、いままでよりも長い時間防塵部材を振動させることによって塵埃の除去能率を高めるとともに、粘着性があるかどうかの判定を慎重に行なう構成にしている。つまり塵埃に粘着性があるときにはどうしようもないので、ユーザにクリーニングを行わなせることになる。
【００２５】
そこで、本実施形態では、ユーザに粘着性の塵埃であうかどうかをユーザに通知することができる様に表示画面１１０５１（図２参照）を活用している。本実施形態ではその表示画面１１０５１に表示されるメニュー画面の中にレンズ交換というメニューを設けてそのメニューがユーザによって選択されたときには、レンズ交換が行なわれて新たな交換レンズが装着された後、粘着性のある塵埃が防塵部材１１０１に付着している可能性が高い旨の表示を行なうことで交換作業の一環としてユーザにクリーニングを行なわせる様にしている。
【００２６】
ここで、カメラ本体１１の内部構成を説明する。
【００２７】
図３は、撮影装置１内部の構成を示す構成ブロック図である。
【００２８】
まず図３を参照して交換レンズ１０がカメラ本体１１に装着されて撮影が行なわれるときの動作を簡単に説明する。
【００２９】
この撮影装置１の動作は統括的にＣＰＵ１１００で制御されている。そのＣＰＵ１１００だけにはバッテリＢｔから電力が常時供給されていて、不図示の電源スイッチの投入を待ち受けている。
【００３０】
ここで不図示の電源スイッチが投入されたらその投入を受けてＣＰＵ１１００はバッテリと各部を繋ぐ経路に配備されているスイッチＳＷ１〜ＳＷ３をすべて接続させることにより図３に示す各部に電力を供給させた後、タイミングジェネレータ（以降ＴＧという）１１００１を作動させることにより撮影処理を開始する。撮影処理を開始したらＣＰＵ１１００は、ＴＧ１１００１に指示してＣＣＤ固体撮像素子１１０２に所定の間隔ごとに画像データの生成を行なわせてはＡ／Ｄ部１１０３へと出力させる。画像データの出力を受けたＡ／Ｄ部１１０３では、アナログの画像データからデジタルの画像データへの変換が行なわれ、デジタルの画像データが、さらに信号処理部１１０４へと供給される。その信号処理部１１０４で画像データの信号処理が行なわれたらその画像データが表示部１１０５へと供給され表示部１１０５が備える表示画面１１０５１（図２参照）上にＣＣＤ撮像素子１１０２で所定の間隔ごとに生成されている画像データに基づく動画像が表示される。
【００３１】
こうして動画像が表示画面１１０５１上に表示されているときにレリーズボタン１１２が押されたら今度はＣＰＵ１１００により記録処理が開始される。
【００３２】
まず、レリーズボタン１１２が押されたら、ＴＧ１１００１に指示して露光開始信号を供給させ、所定のシャッタ秒時後に露光終了信号を供給させる。その露光終了信号に同期してＣＣＤ固体撮像素子１１０２から画像データをＡ／Ｄ部１１０３へ出力させる。Ａ／Ｄ部１１０３でデジタル信号への変換が行なわれたらデジタル信号の画像データが信号処理部１１０４へと供給される。さらに信号処理部１１０４で信号処理が行なわれた後、信号処理が行なわれた画像データが圧縮・伸張部１１０６に供給され画像データが圧縮される。さらに圧縮された画像データがメモリカードＩ／Ｆ１１０７に供給されそのメモリカードＩ／Ｆ１１０７によりメモリスロットに装填されているメモリカード２００に圧縮された画像データが記録される。
【００３３】
以上がこの撮影装置の動作である。
【００３４】
さらに本実施形態の撮影装置には従来と同様に、交換レンズ１０の交換にあたって防塵部材１１０１への塵埃の付着を防止するための本発明にいう加振手段１１０１１が備えられている。その本発明にいう加振手段１１０１１は、図３に示す防塵部材１１０１の背面側に備えられている圧電素子Ａ，Ｂとそれらの圧電素子Ａ，Ｂを駆動するドライバＤＲとで構成される。
【００３５】
次に交換レンズの交換が行なわれるときにどのように防塵部材１１０１に付着した塵埃の除去が行なわれるかを図３を参照して説明する。
【００３６】
この例では、メニュー画面の中にレンズ交換というメニュー（図２参照）を設けてそのメニューがユーザによって選択されたときに制御手段であるＣＰＵ１１００が、表示部１１０５に指示して交換レンズの好ましい交換手順を表示画面上に表示させる構成としている。
【００３７】
ここでレンズ交換が行なわれるときにＣＰＵ１１００が行なう処理を説明する。
【００３８】
まず、操作子１１２１（図２参照）の中の十字キーの操作やＯＫ釦の操作などにより選択メニューの中から‘レンズ交換’が選択されたら、ＣＰＵ１１００はその操作を受けて表示部１１０５に指示して表示画面１１０５１上に‘レンズ交換前に白色一様な被写体を撮影してください‘という表示を行なわせる。
【００３９】
その表示にしたがってユーザによってレリーズボタン１１２が押されたら、ＣＰＵ１１００は、そのレリーズボタン１１２の操作を受けて撮影処理を開始させＣＣＤ１１０２で生成された画像データを後段へ出力させる。その後Ａ／Ｄ部１１０３で画像データがアナログからデジタルの画像データに変換されデジタルの画像データがさらに信号処理部１１０４へと供給され、その信号処理部１１０４で信号処理が行なわれる。そうしたらＣＰＵ１１００はその画像データを第１のフレームメモリ♯１  １１１０に記憶する。
【００４０】
次にＣＰＵ１１００は、表示部１１０５に指示して表示画面１１０５１上に‘取り外しＯＫです’等の表示を行なわせて交換レンズの取り外しを促すとともに、ドライバＤＲに指示して圧電素子Ａ，Ｂを駆動させることによって防塵部材１１０１を振動させる。
【００４１】
ここでユーザによって交換レンズ１０が交換され新たな交換レンズがカメラ本体１１に装着されたことを受けて、ＣＰＵ１１００は表示部１１０５に指示して表示画面１１０５１上に‘白色一様の被写体を撮影してください‘という表示を行なわせる。
【００４２】
その後、再度レリーズボタン１１２が押されたら、ＣＰＵ１１００は、そのレリーズボタン１１２の操作を受けて撮影処理を開始させＣＣＤ１１０２で生成された第２の画像データを出力させ第１の画像データのときと同様に第２のフレームメモリ♯２  １１１１に第２の画像データを記憶する。
【００４３】
次にＣＰＵ１１００は、第１のフレームメモリ♯１  １１１０から第１の画像データを読み出すとともに第２のフレームメモリ♯２  １１１１から第２の画像データを読み出して双方のデータを比較して違いがあるかどうかを判定する。この比較により違いがないとＣＰＵ１１００が判定したら、加振手段１１０１１に指示して防塵部材１１０１の振動を停止させさらに表示部１１０５に指示して表示画面１１０５１上に‘交換完了です’を表示させて処理終了とする。
【００４４】
ここでＣＰＵ１１００が第１の画像データと第２の画像データとの比較により違いがあると判定したら、加振手段１１０１１に指示して継続して防塵部材１１０１を振動させ続け、表示部１１０５に指示して表示画面上に‘塵埃が付着しています’という文字を表示させる。
【００４５】
ここまででＣＰＵ１１００が加振手段１１０１１に指示して防塵部材１１０１の振動を停止させて、表示画面１１０５１上に‘粘着性のある塵埃である可能性が高いので掃除してください’を表示させることによってユーザにクリーニングを行わせることもできる。
【００４６】
しかし本実施形態においては、さらにＣＰＵ１１００が加振手段１１０１１に指示して防塵部材１１０１を振動させ続けて粘着性のある塵埃であるかどうかをより精度良く判定することができる構成にしている。さもないと、もう少し振動させることで除去することができる塵埃であるにも拘わらずユーザにクリーニングを行わせることになるからである。
【００４７】
そこで、本実施形態では、ＣＰＵ１１００が第２の画像データを第２のフレームメモリ♯２  １１１１に記憶した後、ＣＰＵ１１００が表示部１１０５に指示して‘数分後にもう一回白色一様の被写体を撮影してください’という表示を行なわせている。ここでレリーズボタン１１２が押されたことを受けてＣＰＵ１１００がＣＣＤ１１０２に第３の画像データの生成を行なわせてＣＣＤ１１０２から第３の画像データを出力させ、第１の画像データ、第２の画像データと同様に第３のフレームメモリ♯３  １１１２に第３の画像データを記憶する。
【００４８】
ここでＣＰＵ１１００は、第３の画像データと第２の画像データとをそれぞれフレームメモリから読み出して双方のデータを比較して違いがあるかどうかを判定する。ここで、第２の画像データと第３の画像データとに違いがあって、しかも第３の画像データが表わす画像上に塵埃がないと判定したら、加振手段１１０１１に指示して防塵部材１１０１の振動を停止させて処理を終了する。
【００４９】
またＣＰＵ１１００が、第２の画像データと第３の画像データとの双方ともに塵埃が付いていて、さらに塵埃が付着している位置に違いがあると判定した場合には、粘着性のある塵埃が移動したと判定して‘ブロワ等によりクリーニングが必要です’を表示部１１０５に指示して表示画面上に表示させる。
【００５０】
その表示を受けたユーザに、ブロワ等によりクリーニングを行なわせて塵埃を除去させたら、ユーザに交換レンズを装着させた後、再度同じ処理を繰り返し行う。
【００５１】
この様にすると交換レンズの交換時に塵埃に粘着性があってクリーニングを行わないと除去することができない塵埃が防塵部材に付着した場合には、レンズ交換作業の一環としてユーザにクリーニングを行わせることができる。
【００５２】
以上説明した様に交換レンズを交換する時に防塵部材に付着した粘着性の強い塵埃が確実に除去される撮影装置が実現する。
【００５３】
図１〜図３で説明した第１実施形態では、レンズ交換に際して、撮影者に対して白色一様の被写体を撮影することを表示画面上の表示により促したが、交換時にレリーズボタンを押すという操作を行なえば自動的に白いものが撮影される様になっていると撮影者に余計な撮影操作を行なわせる必要がなくなる。
【００５４】
図４、図５は、第２の実施形態を説明する図である。
【００５５】
図４、図５には、交換レンズ内にカメラ本体１１側のＣＰＵ１１００により光軸への進退が制御される拡散板１０２を付加した構成が示されている。
【００５６】
図４にはその拡散板１０２を光軸に進退自在に進出させるドライバ１０２１も示されている。レンズ交換時にこのドライバ１０２１に図５に示すＣＰＵ１１００から制御信号が供給されたら、拡散板１０２が光軸に進出する。
【００５７】
図４、図５に示す構成にすると、レンズ交換時に拡散板１０２を光軸に進出させることによって白色一様の被写体を自動的に撮影させることができるので、撮影者に白色一様の被写体を撮影することを促さなくても良くなり、撮影者の負担が軽減されるという効果が得られる。
【００５８】
また、交換レンズの交換時にはレンズ防護部材であるレンズキャップ１０３を交換レンズの先端に付けることを促す程度であれば交換レンズの表面を保護する上においても好ましいことになるので、拡散板１０２を設ける代わりにレンズキャップ１０３のレンズ側の一面が白色に形成されているレンズキャップを設けても良い。
【００５９】
またレンズ防護部材であるレンズバリアが備えられている撮影装置であれば、そのレンズバリアのレンズ側の一面が白色に形成されていても良い。
【図面の簡単な説明】
【００６０】
【図１】本発明の一実施形態である撮影装置を正面から見た正面図である。
【図２】本発明の一実施形態である撮影装置を背面から見た背面図である。
【図３】撮影装置１の内部の構成を示す構成ブロック図である。
【図４】第２の実施形態を説明する図である。
【図５】第２の実施形態を説明する図である。
【符号の説明】
【００６１】
１  撮影装置
１０  交換レンズ
１００    マウント部
１０１    爪
１０２    拡散板
１０２１    ドライバ
１０３    レンズキャップ
１１    カメラ本体
１１０    マウント部
１１１    切り欠き部
１１０１    防塵部材
１１０１１    加振手段
１１２  レリーズボタン
ＤＲ    ドライバ
Ａ  Ｂ    圧電素子
１１０２    ＣＣＤ固体撮像素子
１１０３    Ａ／Ｄ部
１１０４    信号処理部
１１０５    表示部
１１０６    圧縮・伸張部
１１０７  メモリカードＩ／Ｆ
１１０９    センサ
１１００    ＣＰＵ
１１１０    第１のフレームメモリ♯１
１１１１    第２のフレームメモリ♯２
１１１２    第３のフレームメモリ♯３
【図１】
2007325148.tif 000003
【図２】
2007325148.tif 000004
【図３】
2007325148.tif 000005
【図４】
2007325148.tif 000006
【図５】
2007325148.tif 000007